(57)【特許請求の範囲】
【請求項１】
制御装置、及び表示装置を備えた表示システムであって、
前記制御装置は、
表示部と、
第１の通信部と、
前記第１の通信部によって通信する前記表示装置に関する情報を、前記表示部に表示させる第１の制御部と、を備え、
前記表示装置は、
第２の通信部と、
操作を受け付ける操作受付部と、
前記操作受付部により操作を受け付けた場合に、前記操作に対応する処理を実行可能な第２の制御部と、を備え、
前記第１の制御部は、前記第１の通信部によって前記表示装置を探索するための探索情報を送信し、
前記第２の制御部は、前記第２の通信部によって前記探索情報を受信した場合に、当該探索情報に対する応答である応答情報と、当該表示装置を識別可能な識別情報とを前記第２の通信部により送信し、
前記第１の制御部は、前記応答情報と前記識別情報を受信すると、前記識別情報に対応する前記表示装置が未登録か否かを判定し、未登録と判定した前記表示装置にコマンドブロック要求を前記第１の通信部により送信し、
前記第２の制御部は、前記第２の通信部により前記コマンドブロック要求を受信した場合、前記操作受付部で受け付ける操作に対応する処理の実行を制限する制限モードに移行し、前記制限モードにおいて前記操作受付部で所定の操作を受け付けた場合に、前記操作を検出したことを示す操作検出情報を前記第２の通信部により送信し、
前記第１の制御部は、前記第１の通信部により前記操作検出情報を受信した場合、前記表示部が表示する情報のうち、前記操作検出情報を送信した前記表示装置に関する情報の表示態様を変更させること、
を特徴とする表示システム。
【請求項２】
前記所定の操作は、前記制限モード中の制限対象のコマンドに対応する操作であること、
を特徴とする請求項１記載の表示システム。
【請求項３】
前記第１の制御部は、前記第１の通信部により前記応答情報を受信し、前記応答情報を送信した前記表示装置を示す情報を前記表示部により一覧表示させること、
を特徴とする請求項１又は２に記載の表示システム。
【請求項４】
前記第１の制御部は、前記第１の通信部により前記操作検出情報を受信した場合、前記操作検出情報を送信した前記表示装置を示す情報の表示態様を、他の前記表示装置を示す情報と区別可能な態様に変更すること、
を特徴とする請求項１から３のいずれかに記載の表示システム。
【請求項５】
前記第１の制御部は、前記第１の通信部により前記操作検出情報を受信した場合、前記表示部により、前記操作検出情報を送信した前記表示装置を示す情報を、他の前記表示装置を示す情報より優先して視認される態様で表示させること、
を特徴とする請求項１から４のいずれかに記載の表示システム。
【請求項６】
前記第１の制御部は、前記第１の通信部により前記操作検出情報を受信した場合、前記表示部によって一覧表示される情報のうち、前記操作検出情報を送信した前記表示装置を示す情報を強調して表示させること、
を特徴とする請求項３に記載の表示システム。
【請求項７】
前記第１の制御部は、前記第１の通信部により前記操作検出情報を受信した場合、前記表示部によって一覧表示される情報のうち、前記操作検出情報を送信した前記表示装置を示す情報を上位に表示させること、
を特徴とする請求項３又は６に記載の表示システム。
【請求項８】
前記第１の制御部は、前記第１の通信部により前記操作検出情報を受信した場合、前記表示部によって一覧表示される情報のうち、前記操作検出情報を送信した前記表示装置以外の前記表示装置を示す情報を削除させること、
を特徴とする請求項３、６及び７のいずれかに記載の表示システム。
【請求項９】
第１の表示装置、及び、第２の表示装置を備えた表示システムであって、
前記第１の表示装置は、
表示部と、
第１の通信部と、
前記第１の通信部によって通信する前記第２の表示装置に関する情報を、前記表示部に表示させる第１の制御部と、を備え、
前記第２の表示装置は、
第２の通信部と、
操作を受け付ける操作受付部と、
前記操作受付部により操作を受け付けた場合に、前記操作に対応する処理を実行可能な第２の制御部と、を備え、
前記第１の制御部は、前記第１の通信部によって前記第２の表示装置を探索するための探索情報を送信し、
前記第２の制御部は、前記第２の通信部によって前記探索情報を受信した場合に、当該探索情報に対する応答である応答情報と、当該第２の表示装置を識別可能な識別情報とを前記第２の通信部により送信し、
前記第１の制御部は、前記応答情報と前記識別情報を受信すると、前記識別情報に対応する前記第２の表示装置が未登録か否かを判定し、未登録と判定した前記第２の表示装置にコマンドブロック要求を前記第１の通信部により送信し、
前記第２の制御部は、前記第２の通信部により前記コマンドブロック要求を受信した場合、前記操作受付部で受け付ける操作に対応する処理の実行を制限する制限モードに移行し、前記制限モードにおいて前記操作受付部で所定の操作を受け付けた場合に、前記操作を検出したことを示す操作検出情報を前記第２の通信部により送信し、
前記第１の制御部は、前記第１の通信部により前記操作検出情報を受信した場合、前記表示部が表示する情報のうち、前記操作検出情報を送信した前記第２の表示装置に関する情報の表示態様を変更させること、
を特徴とする表示システム。
【請求項１０】
表示装置であって、
表示部と、
制御装置と通信を実行する通信部と、
操作を受け付ける操作受付部とを備え、前記操作受付部により操作を受け付けた場合に、前記操作に対応する処理を実行可能であり、
前記制御装置が送信する、前記表示装置を探索するための探索情報を前記通信部によって受信した場合に、当該探索情報に対する応答である応答情報と、当該表示装置を識別可能な識別情報とを前記通信部により送信し、
前記探索情報を前記通信部によって受信した後、前記制御装置が送信するコマンドブロック要求を受信した場合、前記操作受付部で受け付ける操作に対応する処理の実行を制限する制限モードに移行し、前記制限モードにおいて前記操作受付部で所定の操作を受け付けた場合に、前記操作を検出したことを示す操作検出情報を前記通信部によって送信する制御部と、
を備えることを特徴とする表示装置。
【請求項１１】
表示部と、
表示装置と通信する通信部と、
前記通信部によって通信する表示装置に関する情報を、前記表示部に表示させる制御部とを備え、
前記制御部は、前記通信部により前記表示装置を探索するための探索情報を送信し、前記探索情報を受信した前記表示装置が送信する、当該探索情報に対する応答である応答情報と、当該表示装置を識別可能な識別情報とを前記通信部により受信した場合に、前記応答情報を送信した前記表示装置を示す情報を前記表示部により一覧表示させ、前記識別情報に対応する前記表示装置が未登録か否かを判定し、未登録と判定した前記表示装置にコマンドブロック要求を前記通信部により送信し、
前記表示装置が送信する、所定の操作を検出したことを示す操作検出情報を前記通信部により受信した場合、前記表示部が表示する情報のうち、前記操作検出情報を送信した前記表示装置に関する情報の表示態様を変更させること、
を特徴とする制御装置。
【請求項１２】
表示部及び第１の通信部を備える制御装置と、第２の通信部及び操作受付部を備える表示装置と、を有し、前記制御装置は、前記第１の通信部によって通信する前記表示装置に関する情報を前記表示部に表示し、前記表示装置は前記操作受付部により操作を受け付けた場合に、前記操作に対応する処理を実行可能な表示システムの制御方法であって、
前記制御装置が、前記第１の通信部によって前記表示装置を探索するための探索情報を送信し、
前記表示装置が、前記第２の通信部によって前記探索情報を受信した場合に、当該探索情報に対する応答である応答情報と、当該表示装置を識別可能な識別情報とを前記第２の通信部により送信し、
前記制御装置が、前記応答情報と前記識別情報を受信すると、前記識別情報に対応する前記表示装置が未登録か否かを判定し、未登録と判定した前記表示装置にコマンドブロック要求を前記第１の通信部により送信し、
前記表示装置が、前記第２の通信部により前記コマンドブロック要求を受信した場合、前記操作受付部で受け付ける操作に対応する処理の実行を制限する制限モードに移行し、前記制限モードにおいて前記操作受付部で所定の操作を受け付けた場合に、前記操作を検出したことを示す操作検出情報を前記第２の通信部により送信し、
前記制御装置が、前記第１の通信部によって前記操作検出情報を受信した場合、前記表示部が表示する情報のうち、前記操作検出情報を送信した前記表示装置に関する情報の表示態様を変更させること、
を特徴とする表示システムの制御方法。
【請求項１３】
表示部及び第１の通信部を備える第１の表示装置と、第２の通信部及び操作受付部を備える第２の表示装置と、を有し、前記第１の表示装置は、前記第１の通信部によって通信する第２の表示装置に関する情報を前記表示部に表示し、第２の表示装置は前記操作受付部により操作を受け付けた場合に、前記操作に対応する処理を実行可能な表示システムの制御方法であって、
前記第１の表示装置が、前記第１の通信部によって前記第２の表示装置を探索するための探索情報を送信し、
前記第２の表示装置が、前記第２の通信部によって前記探索情報を受信した場合に、当該探索情報に対する応答である応答情報と、当該第２の表示装置を識別可能な識別情報とを前記第２の通信部により送信し、
前記第１の表示装置が、前記応答情報と前記識別情報を受信すると、前記識別情報に対応する前記第２の表示装置が未登録か否かを判定し、未登録と判定した前記第２の表示装置にコマンドブロック要求を前記第１の通信部により送信し、
前記第２の表示装置が、前記第２の通信部により前記コマンドブロック要求を受信した場合、前記操作受付部で受け付ける操作に対応する処理の実行を制限する制限モードに移行し、前記制限モードにおいて前記操作受付部で所定の操作を受け付けた場合に、前記操作を検出したことを示す操作検出情報を前記第２の通信部により送信し、
前記第１の表示装置が、前記第１の通信部によって前記操作検出情報を受信した場合、前記表示部が表示する情報のうち、前記操作検出情報を送信した前記第２の表示装置に関する情報の表示態様を変更させること、
を特徴とする表示システムの制御方法。
【請求項１４】
表示部と、制御装置と通信を実行する通信部と、操作を受け付ける操作受付部と、を備え、前記操作受付部により操作を受け付けた場合に、前記操作に対応する処理を実行可能な表示装置の制御方法であって、
前記制御装置が送信する、表示装置を探索するための探索情報を前記通信部によって受信した場合に、当該探索情報に対する応答である応答情報と、当該表示装置を識別可能な識別情報とを前記通信部により送信し、
前記探索情報を前記通信部によって受信した後、前記制御装置が送信するコマンドブロック要求を受信した場合、前記操作受付部で受け付ける操作に対応する処理の実行を制限する制限モードに移行し、前記制限モードにおいて前記操作受付部で所定の操作を受け付けた場合に、前記操作を検出したことを示す操作検出情報を前記通信部によって送信すること、
を特徴とする表示装置の制御方法。
【請求項１５】
表示部と、表示装置と通信する通信部と、を備え、前記通信部によって通信する前記表示装置に関する情報を、前記表示部に表示させる制御装置の制御方法であって、
前記通信部により前記表示装置を探索するための探索情報を送信し、
前記探索情報を受信した前記表示装置が送信する、当該探索情報に対する応答である応答情報と、当該表示装置を識別可能な識別情報とを前記通信部により受信した場合に、前記応答情報を送信した前記表示装置を示す情報を前記表示部により一覧表示させ、前記識別情報に対応する前記表示装置が未登録か否かを判定し、未登録と判定した前記表示装置にコマンドブロック要求を前記通信部により送信し、
前記表示装置が送信する、所定の操作を検出したことを示す操作検出情報を前記通信部により受信した場合、前記表示部が表示する情報のうち、前記操作検出情報を送信した前記表示装置に関する情報の表示態様を変更させること、
を特徴とする制御装置の制御方法。
【発明の詳細な説明】
【技術分野】
【０００１】
本発明は、表示システム、表示装置、制御装置、及びこれらの制御方法に関する。
【背景技術】
【０００２】
表示装置を備えた表示システムには、複数のプロジェクターを用いて画像を表示する、いわゆるマルチプロジェクションシステムが知られている。例えば、特許文献１には、各プロジェクターから通信ネットワークを介して取得したグループ情報に基づき同一の室に存在するプロジェクターを同一グループとし、同一グループのプロジェクターに画像を表示させる表示システムが開示される。
【先行技術文献】
【特許文献】
【０００３】
【特許文献１】特開２０１３−２１９４７１号公報
【発明の概要】
【発明が解決しようとする課題】
【０００４】
ところで、多数のプロジェクターを複数の室に分散配置した大規模な表示システムの場合、室毎にプロジェクターをグルーピングする必要がある。
しかし、従来の構成は、グループ情報の格納前に、同じ室に存在するプロジェクターを容易に特定することができない。このため、グルーピング作業に時間及び手間がかかる。特に、ビジネス利用の場合、プロジェクターを移動してプロジェクターのレイアウトを変更することがあり、このレイアウト変更に迅速に対応することが困難である。
そこで、本発明は、複数の室に分散配置した表示装置を、室毎に容易に特定可能にすることを目的とする。
【課題を解決するための手段】
【０００５】
上記目的を達成するために、本発明は、制御装置、及び表示装置を備えた表示システムであって、前記制御装置は、表示部と、第１の通信部と、前記第１の通信部によって通信する前記表示装置に関する情報を、前記表示部に表示させる第１の制御部と、を備え、前記表示装置は、第２の通信部と、操作を受け付ける操作受付部と、前記操作受付部により操作を受け付けた場合に、当該操作を検出したことを示す操作検出情報を前記第２の通信部によって送信させる第２の制御部と、を備え、前記第１の制御部は、前記第１の通信部により前記操作検出情報を受信した場合、前記表示部が表示する情報のうち、前記操作検出情報を送信した前記表示装置に関する情報の表示態様を変更させること、を特徴とする。
本発明によれば、制御装置は、操作を受け付けた表示装置に関する情報の表示態様を変更させるので、操作を受け付ける範囲内（例えば、所定の室内）にある表示装置を容易に特定可能になる。
【０００６】
また、本発明は、上記構成において、前記第１の制御部は、前記第１の通信部により前記表示装置を探索するための探索情報を送信し、前記第２の制御部は、前記第２の通信部により前記探索情報を受信した場合に、当該探索情報に対する応答である応答情報を前記第２の通信部により送信し、前記第１の制御部は、前記第１の通信部により前記応答情報を受信し、前記応答情報を送信した前記表示装置を示す情報を前記表示部により一覧表示させること、を特徴とする。
本発明によれば、応答情報を送信した表示装置を示す情報を一覧表示することができる。
【０００７】
また、本発明は、上記構成において、前記第１の制御部は、前記第１の通信部により前記操作検出情報を受信した場合、前記操作検出情報を送信した前記表示装置を示す情報の表示態様を、他の前記表示装置を示す情報と区別可能な態様に変更すること、を特徴とする。
本発明によれば、操作検出情報を送信した表示装置を示す情報を容易に特定可能になる。
【０００８】
また、本発明は、上記構成において、前記第１の制御部は、前記第１の通信部により前記操作検出情報を受信した場合、前記表示部により、前記操作検出情報を送信した前記表示装置を示す情報を、他の前記表示装置を示す情報より優先して視認される態様で表示させること、を特徴とする。
本発明によれば、操作検出情報を送信した表示装置を示す情報が優先して視認され、より容易に特定可能になる。
【０００９】
また、本発明は、上記構成において、前記第１の制御部は、前記第１の通信部により前記操作検出情報を受信した場合、前記表示部によって一覧表示される情報のうち、前記操作検出情報を送信した前記表示装置を示す情報を強調して表示させること、を特徴とする。
本発明によれば、強調表示により、操作検出情報を送信した表示装置を示す情報を優先して視認させることができる。
【００１０】
また、本発明は、上記構成において、前記第１の制御部は、前記第１の通信部により前記操作検出情報を受信した場合、前記表示部によって一覧表示される情報のうち、前記操作検出情報を送信した前記表示装置を示す情報を上位に表示させること、を特徴とする。
本発明によれば、ソート処理により、操作検出情報を送信した表示装置を示す情報を優先して視認させることができる。
【００１１】
また、本発明は、上記構成において、前記第１の制御部は、前記第１の通信部により前記操作検出情報を受信した場合、前記表示部によって一覧表示される情報のうち、前記操作検出情報を送信した前記表示装置以外の前記表示装置を示す情報を削除させること、を特徴とする。
本発明によれば、操作検出情報を送信した表示装置以外の表示装置を示す情報を削除するので、操作検出情報を送信した表示装置を示す情報をより容易に特定可能になる。
【００１２】
また、本発明は、上記構成において、前記第２の制御部は、前記操作受付部で受け付ける操作に対応する処理を実行可能であり、前記第２の通信部により前記探索情報を受信した場合、前記操作受付部で受け付ける操作に対応する処理の実行を制限する制限モードに移行し、前記制限モードにおいて前記操作受付部で所定の操作を受け付けた場合に前記操作検出情報を前記第２の通信部により送信すること、を特徴とする。
本発明によれば、探索情報を受信した場合、操作受付部で受け付ける操作に対応する処理の実行を制限する制限モードに移行するので、表示装置の操作を制限することが可能になる。
【００１３】
また、本発明は、第１の表示装置、及び、第２の表示装置を備えた表示システムであって、前記第１の表示装置は、表示部と、第１の通信部と、前記第１の通信部によって通信する前記第２の表示装置に関する情報を、前記表示部に表示させる第１の制御部と、を備え、前記第２の表示装置は、第２の通信部と、操作を受け付ける操作受付部と、前記操作受付部により操作を受け付けた場合に、当該操作を検出したことを示す操作検出情報を前記第２の通信部によって送信する第２の制御部と、を備え、前記第１の制御部は、前記第１の通信部により前記操作検出情報を受信した場合、前記表示部が表示する情報のうち、前記操作検出情報を送信した前記表示装置に関する情報の表示態様を変更させること、を特徴とする。
本発明によれば、第１の表示装置は、操作を受け付けた第２の表示装置に関する情報の表示態様を変更させるので、操作を受け付ける範囲内（例えば、所定の室内）にある表示装置を容易に特定可能になる。
【００１４】
また、本発明は、表示装置であって、表示部と、制御装置と通信を実行する通信部と、操作を受け付ける操作受付部と、前記制御装置が送信する、前記表示装置を探索するための探索情報を前記通信部によって受信した場合に、当該探索情報に対する応答である応答情報を前記通信部により送信し、前記探索情報を前記通信部によって受信した後、前記操作受付部により操作を受け付けた場合に、当該操作を検出したことを示す操作検出情報を前記通信部によって送信する制御部と、を備えることを特徴とする。
本発明によれば、表示装置は、制御装置が送信する探索情報を受信した場合に、応答情報を送信し、探索情報を受信した後、操作受付部により操作を受け付けた場合に、操作検出情報を送信する。これにより、制御装置側で、この表示装置を容易に特定可能になる。
【００１５】
また、本発明は、上記構成において、前記制御部は、前記操作受付部で受け付ける操作に対応する処理を実行可能であり、前記通信部により前記探索情報を受信した場合、前記操作受付部で受け付ける操作に対応する処理の実行を制限する制限モードに移行し、前記制限モードにおいて前記操作受付部で所定の操作を受け付けた場合に前記操作検出情報を前記通信部により送信すること、を特徴とする。
本発明によれば、表示装置の操作を制限しつつ、制御装置側で、この表示装置を容易に特定可能になる。
【００１６】
また、本発明は、制御装置であって、表示部と、表示装置と通信する通信部と、前記通信部によって通信する表示装置に関する情報を、前記表示部に表示させる制御部とを備え、前記制御部は、前記通信部により前記表示装置を探索するための探索情報を送信し、前記探索情報を受信した前記表示装置が送信する、当該探索情報に対する応答である応答情報を前記通信部により受信した場合に、前記応答情報を送信した前記表示装置を示す情報を前記表示部により一覧表示させ、前記表示装置が送信する、操作を検出したことを示す操作検出情報を前記通信部により受信した場合、前記表示部が表示する情報のうち、前記操作検出情報を送信した前記表示装置に関する情報の表示態様を変更させること、を特徴とする。
本発明によれば、操作検出情報を送信した前記表示装置に関する情報を容易に特定可能になる。
【００１７】
また、本発明の表示システム、表示装置及び制御装置は、表示システム、表示装置及び制御装置の制御方法に適用することができる。さらに、この制御方法を、表示システム、表示装置及び制御装置が備えるコンピューターを用いて実現するプログラムに適用してもよい。これらプログラムは、上記コンピューターで読み取り可能に記録した記録媒体、或いは、このプログラムを伝送する伝送媒体の態様で構成することも可能である。上記記録媒体としては、磁気的、光学的記録媒体又は半導体メモリーデバイスを用いることができる。具体的には、フレキシブルディスク、ＣＤ−ＲＯＭ（Compact Disk Read Only Memory）、ＤＶＤ（Digital Versatile Disk）、Ｂｌｕ−ｒａｙ（登録商標）Ｄｉｓｃ、光磁気ディスク、フラッシュメモリー、カード型記録媒体等の可搬型の、或いは固定式の記録媒体が挙げられる。また、上記記録媒体は、印刷装置が備える内部記憶装置、例えば、ＲＡＭ（Random Access Memory）、ＲＯＭ（Read Only Memory）、ＨＤＤ（Hard Disk Drive）、等の不揮発性記憶装置であってもよい。
【図面の簡単な説明】
【００１８】
【図１】本発明の第１実施形態に係る表示システムの概略構成を示す図。
【図２】マルチプロジェクションシステムを構成する場合を示す図。
【図３】プロジェクターを周辺構成と共に示したブロック図。
【図４】グルーピングモードの動作例を示した図。
【図５】プロジェクターリストの一例を示す図。
【図６】リスト更新処理を示すフローチャート。
【図７】無線制御コマンドを受信した場合のプロジェクターの動作を示すフローチャート。
【図８】（Ａ）は操作検出コマンドを受信する前のプロジェクターリストを示す図、（Ｂ）は操作検出コマンドを受信した後のプロジェクターリストを示す図。
【図９】プロジェクターリストの他の表示例を示す図。
【図１０】（Ａ）は操作検出コマンドを受信する前のプロジェクターリストを示す図、（Ｂ）は操作検出コマンドを受信した後のプロジェクターリストの他の表示例を示す図。
【図１１】第２実施形態のプロジェクターを周辺構成と共に示したブロック図。
【図１２】グルーピングモードの動作例を示した図。
【発明を実施するための形態】
【００１９】
以下、図面を参照して本発明の実施形態について説明する。
（第１実施形態）
図１は、本発明の第１実施形態に係る表示システム１の概略構成を示す図である。
この表示システム１は、複数の室１０Ａ、１０Ｂ、１０Ｃに設置された複数のプロジェクター２Ａ〜２Ｆと、複数のプロジェクター２Ａ〜２Ｆに通信ネットワーク１１を介して通信可能に接続される情報処理装置３（制御装置）とを備える。この表示システム１は、例えば、一つの建物内に敷設された通信ネットワーク１１を利用して、複数の室１０Ａ〜１０Ｃに設置したプロジェクター２Ａ〜２Ｆと、いずれかの室１０Ａ〜１０Ｃ、或いは別室に設けた情報処理装置３とを通信可能に接続して構成される。通信ネットワーク１１は、公知のＬＡＮ(Local Area Network)の規格に従ったネットワークであり、有線ＬＡＮまたは無線ＬＡＮのいずれもでもよい。
【００２０】
通信ネットワーク１１に接続された各機器（プロジェクター２Ａ〜２Ｆ、情報処理装置３）には、ＩＰアドレス（Internet Protocol address）が割り当てられる。ＩＰアドレスは、送受信する機器の識別などに利用される識別情報である。
図１には、プロジェクター２Ａ〜２ＦのＩＰアドレスも示している。例えば、プロジェクター２ＡのＩＰアドレスは「192.168.0.100」であり、プロジェクター２ＢのＩＰアドレスは「192.168.0.101」であり、プロジェクター２ＣのＩＰアドレスは「192.168.0.102」である。また、プロジェクター２ＤのＩＰアドレスは「192.168.0.103」であり、プロジェクター２ＥのＩＰアドレスは「192.168.0.104」であり、プロジェクター２ＦのＩＰアドレスは「192.168.0.105」である。また、情報処理装置３にもＩＰアドレス「192.168.0.200」が設定される。これらＩＰアドレスは、不図示のネットワーク管理装置が自動で設定したものでもよいし、ネットワーク管理者等が手動で設定したものでもよい。
【００２１】
図１に示すように、室１０Ａには一台のプロジェクター２Ａが配置され、室１０Ｂには２台のプロジェクター２Ｂ、２Ｃが配置され、室１０Ｃには３台のプロジェクター２Ｄ〜２Ｆが配置される。以下、プロジェクター２Ａ〜２Ｆを特に区別する必要がない場合は、プロジェクター２と表記する。また、室１０Ａ、１０Ｂ、１０Ｃを特に区別する必要がない場合は、室１０と表記する。
【００２２】
プロジェクター２は、このプロジェクター２が配置された室１０内に設けられたスクリーンＳＣ（図２）に画像を表示する表示装置として機能する。これらプロジェクター２は、シングルプロジェクターとして使用される場合と、マルチプロジェクターとして使用される場合とがある。シングルプロジェクターとは、一台のプロジェクター２で投射画像を表示させるプロジェクターである。マルチプロジェクターとは、複数のプロジェクター２による投射画像１０１、１０２（図２）を組み合わせて一つの投射画像１００を表示させるプロジェクターである。
本実施形態では、室１０Ａ内のプロジェクター２Ａはシングルプロジェクターとして使用される。一方、室１０Ｂ、１０Ｃには、複数のプロジェクター２が配置されるので、各室１０Ｂ、１０Ｃ毎に、複数のプロジェクター２の画像により一つの投射画像１００を表示させるマルチプロジェクションシステムを構築することが可能である。
【００２３】
マルチプロジェクションシステムを構築するには、各プロジェクター２が所定の設置条件を満たすこと、及び、同じ室１０に配置される複数のプロジェクター２を同一グループとして扱い、各プロジェクター２に適切な画像データを供給することが必要になる。
情報処理装置３は、パーソナルコンピューター（ＰＣ）等の演算処理機能を有する装置であり、各プロジェクター２を室１０毎にグルーピングする処理を行う制御装置として機能する。また、この情報処理装置３は、グルーピングした結果に基づき、通信ネットワーク１１を介して画像データを各プロジェクター２に振り分けて供給する画像供給装置としても機能する。なお、情報処理装置３は、画像と音声のデータを各プロジェクター２に供給してもよい。
【００２４】
図２は、室１０Ｂのプロジェクター２Ｂ、２Ｃによりマルチプロジェクションシステムを構成する場合を示す図である。
図２に示すように、プロジェクター２ＢがスクリーンＳＣ（投射面）の左側の部分に投射し、プロジェクター２ＣがスクリーンＳＣの右側の部分に投射することによって一つの投射画像１００が投射される。各プロジェクター２Ｂ、２ＣがスクリーンＳＣに画像を投射する範囲は、スクリーンＳＣとプロジェクター２Ｂ、２Ｃとの距離、隣接するプロジェクター２Ｂ、２Ｃの間隔、及び、スクリーンＳＣに対するプロジェクター２Ｂ、２Ｃの光軸の角度により決定される。
図２の例では、タイリングによる境界がスクリーンＳＣで目立たないように、プロジェクター２Ｂの投射画像１０１と、プロジェクター２Ｃの投射画像１０２とは、互いの縁が重なる重畳領域１１１を有した場合を示している。
【００２５】
図３は、室１０Ｂのプロジェクター２Ｂ、２Ｃを周辺構成と共に示したブロック図である。なお、各プロジェクター２は同じ構成であるため、プロジェクター２Ｂを説明し、他のプロジェクター２の重複説明は省略する。
プロジェクター２Ｂは、光学的な画像の形成を行う投射部２０を備える。投射部２０は、光源２１、光変調装置２２、および投射光学系２３を有する。光源２１は、キセノンランプ、超高圧水銀ランプ、ＬＥＤ（Light Emitting Diode）、或いはレーザー光源等からなる光源を備える。また、光源２１は、光源が発した光を光変調装置２２に導くリフレクターを備えてもよい。さらに、投射光の光学特性を高めるためのレンズ群、偏光板、或いは光源が発した光の光量を光変調装置２２に至る経路上で低減させる調光素子等（いずれも図示略）を備えてもよい。
【００２６】
光変調装置２２は、例えばＲＧＢの三原色に対応した３枚の透過型液晶パネルを備え、この液晶パネルを透過する光を変調して画像光を生成する。光源２１からの光はＲＧＢの３色の色光に分離され、各色光は対応する各液晶パネルに入射する。各液晶パネルを通過して変調された色光はクロスダイクロイックプリズム等の合成光学系によって合成され、投射光学系２３に射出される。
【００２７】
投射光学系２３は、光変調装置２２により変調された画像光をスクリーンＳＣ方向へ導き、スクリーンＳＣ上に結像させるレンズ群を備える。また、投射光学系２３は、スクリーンＳＣの投射画像の拡大・縮小および焦点の調整を行うズーム機構、フォーカスの調整を行うフォーカス調整機構を備えてもよい。プロジェクター２Ｂが短焦点型である場合、投射光学系２３に、画像光をスクリーンＳＣに向けて反射する曲面鏡（例えば凹面鏡や凸面鏡など）を設けてもよい。
【００２８】
プロジェクター２Ｂは、投射部２０の他に、通信部２４、画像入力部２５、記憶部２６、プロジェクター制御部２７（以下、ＰＪ制御部２７）、リモコン受光部２８、操作部２９、画像処理部３０、光変調装置駆動部３１、及び光源駆動部３２を備える。これらはバス３５を介して相互に通信可能に接続される。
通信部２４は、ＰＪ制御部２７の制御の下、ＴＣＰ／ＩＰ等の所定の通信プロトコルに従った通信処理を行う。これにより、プロジェクター２Ｂは、通信ネットワーク１１に接続された情報処理装置３と通信可能である。具体的には、プロジェクター２Ｂは、情報処理装置３から送信された画像データ及び制御コマンド等の各種のデータを受信し、また、情報処理装置３に応答を送信できる。なお、画像データは、動画、静止画のいずれでもよい。
【００２９】
画像入力部２５は、通信ネットワーク１１を介さずに外部の装置から画像データ（音声データを含んでもよい）を入力可能なインターフェイスである。外部の装置は、例えば、ＤＶＤプレーヤー等の画像再生装置、デジタルテレビチューナー等の放送受信装置、またはビデオゲーム機である。また、プロジェクター２Ｂは、プロジェクター２Ｂ内の記憶部２６、又は外部接続される記憶媒体に記憶された画像データを読み出して、この画像データに基づきスクリーンＳＣに画像を投射してもよい。
画像入力部２５は、例えば、ＩＥＥＥ１３９４、ＵＳＢ等に準拠したインターフェイスである。また、画像入力部２５は、ＭＨＬ（登録商標）、ＨＤＭＩ（登録商標）、ＤｉｓｐｌａｙＰｏｒｔ（商標）、ＣｏａＸＰｒｅｓｓ（商標）等のインターフェイスでもよい。
【００３０】
記憶部２６は、プロジェクター２が処理する各種のデータ及びプログラムを記憶する。記憶部２６には、この記憶部２６を有するプロジェクター２Ｂに割り当てられたＩＰアドレスも記憶される。この記憶部２６は、例えば、ＲＡＭ（Random Access Memory）、レジスター、ＨＤＤ（Hard Disk Drive）又はＳＳＤ（Solid State Drive）である。
【００３１】
ＰＪ制御部２７は、記憶部２６に記憶されたプログラムを実行することにより、プロジェクター２Ｂの各部を制御する。ＰＪ制御部２７は、演算処理を行うプロセッサーと周辺回路とで構成され、より具体的には、マイコン、ＳＯＣ（System-on-a-chip）又はＣＰＵ（Central Processing Unit）等で構成される。
リモコン受光部２８は、ユーザーによって操作されるリモートコントローラー４０（以下、リモコン４０）から無線で送信される光信号Ｌ１（無線信号）を受光（受信）する。この光信号Ｌ１は、例えば、赤外光の信号である。但し、赤外光以外の波長帯域の信号でもよい。リモコン受光部２８は、受光した光信号Ｌ１に応じて異なる制御コマンド、つまり、リモコン操作に対応する制御コマンド（無線制御コマンド）をＰＪ制御部２７に出力する。
【００３２】
リモコン４０は、複数の操作子４０Ａを備え、ユーザーによっていずれかの操作子が操作されると、操作子４０Ａ毎に異なる光信号Ｌ１を送信する。操作子４０Ａは、この種のプロジェクター２が備える一般的な操作子である。例えば、操作子４０Ａは、映像を一時停止させる静止ボタン、デジタルズームを指示するズームボタン、画像の投射を一時的に停止させるミュートボタン（画像と音声の出力中の場合は音声も出力停止）等がある。
操作部２９は、ユーザーによって操作される操作パネルを有し、操作パネルが操作されると、操作内容を示す操作信号をＰＪ制御部２７に出力する。このようにして、ＰＪ制御部２７は、リモコン受光部２８及び操作部２９を介してユーザー指示を入力し、ユーザー指示に応じてプロジェクター２Ｂの各部を制御可能である。
【００３３】
画像処理部３０は、通信部２４または画像入力部２５を介して入力した画像データの画像処理を司る。画像処理部３０は、ＰＪ制御部２７の制御の下、歪み補正処理、デジタルズーム処理、色調補正処理、輝度補正処理等を行う。また、画像処理部３０は、上記画像処理を行った画像に基づき、ＲＧＢのそれぞれ毎に、投射部２０が備える液晶パネルの各画素の階調を表す画像信号を出力する。
光変調装置駆動部３１は、画像処理部３０が出力する画像信号に基づき、光変調装置２２が有する各液晶パネルを駆動して各画素の階調を設定し、各液晶パネルにフレーム（画面）単位で画像を描画する。光源駆動部３２は、ＰＪ制御部２７の制御の下、光源２１を点灯駆動し、また、光源２１の光量を制御する。
【００３４】
ＰＪ制御部２７は、プロジェクター２Ｂの各部を制御してスクリーンＳＣへの画像の投射等を制御する。図２に示すように、プロジェクター２Ｂ、２Ｃが投射する画像を並べるタイリング投射により大画面の投射画像１００を投射させる場合、ＰＪ制御部２７は、画像処理部３０により重畳領域１１１の輝度を調整する画像処理を実行させる。これにより、重畳領域１１１が、重畳領域１１１以外の投射画像１０１と同様に、違和感なく投射される。なお、このプロジェクター２Ｂが行う画像処理は、公知のマルチプロジェクションシステムの画像処理を広く適用可能である。
【００３５】
情報処理装置３は、プロジェクター２Ｂ、２Ｃに対し、投射画像１００の元となる原画像を、プロジェクター２の数に対応する部分画像に分割する処理を行う。この処理により、プロジェクター２Ｂが投射する部分画像（投射画像１０１）の画像データ、及び、プロジェクター２Ｃが投射する部分画像（投射画像１０２）の画像データが生成される。情報処理装置３は、生成した複数の部分画像の画像データを、プロジェクター２Ｂ、２Ｃに振り分けて供給することにより、投射画像１００を投射させる。
【００３６】
情報処理装置３は、通信部５１、記憶部５２、制御部５３（以下、ＰＣ制御部５３）、操作入力部５４、及び表示部５５を備え、これらはバス５６等を介して相互に通信可能に接続される。
通信部５１は、通信ネットワーク１１に接続されたプロジェクター２と通信するための構成であり、ＰＣ制御部５３の制御の下、ＴＣＰ／ＩＰ等の所定の通信プロトコルに従った通信処理を行う。これにより、情報処理装置３は、通信ネットワーク１１に接続されたプロジェクター２と通信可能である。この通信部５１により、情報処理装置３は、画像データ及び制御コマンド等をプロジェクター２に送信し、また、プロジェクター２から送信された応答等を受信できる。
【００３７】
記憶部５２は、ＰＣ制御部５３が処理する各種のデータやプログラムを記憶する。このプログラムには、情報処理装置３を、グルーピングに関する動作状態であるグルーピングモードで動作させるプログラムが含まれる。
この記憶部５２に記憶されるデータには、各プロジェクター２に供給する画像データ、情報処理装置３に割り当てられたＩＰアドレス、及び後述するプロジェクターリストＰＬ等の情報が含まれる。
【００３８】
ＰＣ制御部５３は、記憶部５２に記憶されたプログラムを実行することにより、情報処理装置３の各部を制御する。ＰＣ制御部５３は、例えば、ＣＰＵ、ＲＯＭ（Read Only Memory）、ＲＡＭ（Random Access Memory）等で構成される。
操作入力部５４は、ユーザーによって操作されるキーボードやマウス等の入力デバイスに接続され、入力デバイスが操作されると、操作内容を示す操作信号をＰＣ制御部５３に出力する。このようにしてＰＣ制御部５３は、ユーザー指示に従って各種処理を実行可能である。
表示部５５は、液晶表示装置等の表示デバイスを有し、ＰＣ制御部５３の制御の下、各種の情報を表示する。表示デバイスは、情報処理装置３と別体でもよいし、情報処理装置３と一体でもよい。
【００３９】
続いて、プロジェクター２をグルーピングする際の動作を説明する。以下、室１０Ｂに配置されるプロジェクター２Ｂ、２Ｃを同一グループにグルーピングする場合を例に説明する。この場合、ユーザーは、情報処理装置３を操作して、情報処理装置３の動作状態をグルーピングモードに設定する。
図４は、グルーピングモードの動作例を示した図である。
グルーピングモードの場合、情報処理装置３のＰＣ制御部５３は、プロジェクターリストＰＬの更新処理（リスト更新処理）を開始する（ステップＳ１）。プロジェクターリストＰＬは、同一ネットワークセグメントに属するプロジェクター２のリストを示すデータである。
【００４０】
図５はプロジェクターリストＰＬの一例を示す図である。プロジェクターリストＰＬには、プロジェクター２のリストとして、プロジェクター２を識別する識別情報（本実施形態ではＩＰアドレス）が記述される。このプロジェクターリストＰＬは、リスト中のプロジェクター２のうち、いずれが同一グループか否かを示す情報も含まれる。
なお、図５はプロジェクターリストＰＬを表示部５５に表示した場合を示しており、ＩＰアドレスと、ＩＰアドレスに対応するチェックボックスとが表示される。チェックボックスは、情報処理装置３を操作するユーザーによってチェック可能であり、チェックされた複数のＩＰアドレスに対応する複数のプロジェクター２が同一グループであることを示す。
【００４１】
図６はリスト更新処理を示すフローチャートである。
ＰＣ制御部５３は、通信部５１により予め定めた応答要求をブロードキャストする（ステップＳ１Ａ）。この応答要求は、同一ネットワークセグメント（本構成では通信ネットワーク１１）に属するノードであるプロジェクター２からの応答を要求する所定の信号である。より具体的には、ＰＣ制御部５３は、応答要求として、同一ネットワークセグメントに属するプロジェクター２を探索する探索コマンドであるＰＩＮＧコマンドを、ブロードキャストする。但し、ＰＩＮＧコマンド以外の信号を使用してもよい。
【００４２】
図４に示すように、情報処理装置３のＰＣ制御部５３が応答要求を送信した後、プロジェクター２のＰＪ制御部２７は、通信部２４により応答要求を受信すると（ステップＳ２）、応答要求に対する応答である応答コマンドを情報処理装置３に送信する（ステップＳ３）。この応答の際、ＰＪ制御部２７は、プロジェクター２の記憶部２６に記憶されるＩＰアドレスの情報も送信する。
図６に示すように、ＰＣ制御部５３は、応答要求を送信した後、通信部５１により応答を受信するまで待機する（ステップＳ２ＡＮ；NO）。応答（応答コマンド）を受信すると（ステップＳ２Ａ；YES）、ＰＣ制御部５３は、応答と共に受信したＩＰアドレスが、記憶部５２に記憶されるプロジェクターリストＰＬに未登録か否かを判定する（ステップＳ３Ａ）。
【００４３】
ＩＰアドレスがプロジェクターリストＰＬに未登録の場合（ステップＳ３Ａ；YES）、ＰＣ制御部５３は、このＩＰアドレスをプロジェクターリストＰＬに登録することによって、プロジェクターリストＰＬを更新する（ステップＳ４Ａ）。なお、記憶部５２にプロジェクターリストＰＬが記憶されていない場合には、ＰＣ制御部５３は、受信したＩＰアドレスを含むプロジェクターリストＰＬを新たに作成する。ステップＳ４Ａの処理の後、ＰＣ制御部５３は、通信部５１により、コマンドブロック要求を送信する（ステップＳ５Ａ）。
この場合、ＰＣ制御部５３は、コマンドブロック要求を、ＴＣＰ／ＩＰの通信プロトコルに従って新たに登録したＩＰアドレス宛て（プロジェクター２宛て）に送信する。
【００４４】
プロジェクター２のＰＪ制御部２７は、コマンドブロック要求を受信したら、コマンドブロックの動作状態（以下、制限モード）に移行する（図４に示すステップＳ４）。この制限モードの場合、ＰＪ制御部２７は、リモコン４０による操作の一部または全てを無効にすることにより、このプロジェクター２を、シングルプロジェクターとしては使用禁止する。つまり、プロジェクター２は、マルチプロジェクション用のマルチプロジェクターとしてのみ使用可能になる。
【００４５】
なお、図６に示すステップＳ３Ａの判定で、ＩＰアドレスがプロジェクターリストＰＬに未登録ではない（すなわち、登録済みである）場合（ステップＳ３Ａ；NO）、ＰＣ制御部５３は、次の応答があるまで待機する。これにより、ＩＰアドレスが未登録のプロジェクター２からの応答がある毎に、未登録のＩＰアドレスがプロジェクターリストＰＬに順次登録される。
ＰＣ制御部５３は、応答を待機する間、待機時間をカウントし、待機時間が予め定めた終了判定時間に達すると、図６に示すリスト更新処理を終了する。これによって、ＰＣ制御部５３は、同一ネットワークセグメントに属する全てのプロジェクター２を登録したプロジェクターリストＰＬに更新する。
【００４６】
リスト更新処理を終了すると、ＰＣ制御部５３は、表示部５５によりプロジェクターリストＰＬの内容を表示する（図４に示すステップＳ５）。この場合、図５に例示するように、ＰＣ制御部５３は、ＩＰアドレスを一覧表示させるとともに、各ＩＰアドレスに対応するチェックボックスを表示させる。なお、チェックボックスは未チェックの状態で表示される。
ところで、ＩＰアドレスだけでは各プロジェクター２がいずれの室１０に配置されているかは判らない。このため、ユーザーは室１０毎にプロジェクター２を容易にグルーピングすることができない。
【００４７】
そこで、本実施形態では、ユーザーがグルーピングしようとするプロジェクター２が配置された室１０内で、リモコン４０に対し予め定めた所定の操作を行う。この所定の操作を受け付けたプロジェクター２は、コマンドブロックの動作状態であっても、所定の操作を検出したことを示す操作検出コマンドを、通信部２４により送信する（図４に示すステップＳ６）。この操作検出コマンドは、情報処理装置３に受信され、情報処理装置３のＰＣ制御部５３は、操作検出コマンドを受信したプロジェクター２に関するプロジェクターリストＰＬの表示態様を変更させる処理を行う（図４に示すステップＳ７）。
【００４８】
ここで、ユーザーが行うリモコン４０に対して行う所定の操作は、この種のリモコンが一般的に備える複数の操作子のうち、マルチプロジェクション時に殆ど使用しない操作が割り当てられる。例えば、所定の操作はミュートボタンの操作である。なお、操作子の追加が可能であれば、所定の操作に対応する専用の操作子をリモコン４０に追加してもよい。
また、所定の操作検出コマンドは、所定の操作を検出したことを示す操作検出情報であり、所定の操作を検出したことを情報処理装置３に通知するコマンド受信通知でもある。この所定の操作検出コマンドは、プロジェクター２がコマンドブロック中の場合、ブロック対象のコマンドでもある。
【００４９】
図７は、無線制御コマンドを受信した場合のプロジェクター２の動作を示すフローチャートである。
プロジェクター２のＰＪ制御部２７は、無線制御コマンドを受信すると（ステップＳ１Ｃ）、コマンドブロック中か否かを判定する（ステップＳ２Ｃ）。コマンドブロック中でない場合（ステップＳ２Ｃ；NO）、ＰＪ制御部２７は、無線制御コマンドに対応する処理を実行し、つまり、通常のコマンド処理を実行する（ステップＳ３Ｃ）。
【００５０】
一方、コマンドブロック中の場合（ステップＳ２Ｃ；YES）、ＰＪ制御部２７は、受信した無線制御コマンドがブロック対象のコマンドか否かを判定する（ステップＳ４Ｃ）。ブロック対象のコマンドでなければ（ステップＳ４Ｃ；NO）、ＰＪ制御部２７は、無線制御コマンドに対応する処理を実行し、つまり、通常のコマンド処理を実行する（ステップＳ３Ｃ）。
これに対し、ブロック対象のコマンドであった場合（ステップＳ４Ｃ；YES）、ＰＪ制御部２７は、通信部２４により、ブロック対象のコマンドに割り当てられた操作検出コマンド、つまり、上記所定の操作検出コマンドを情報処理装置３に送信する（ステップＳ５Ｃ）この所定の操作検出コマンドは、ＴＣＰ／ＩＰの通信プロトコルに従って、情報処理装置３に送信される。以下、所定の操作検出コマンドを、単に「操作検出コマンド」と表記する。
【００５１】
前述したように、プロジェクター２のＰＪ制御部２７は、コマンドブロック要求を受信したらコマンドブロックの動作状態に移行する（図４に示すステップＳ４）。このため、その後、所定の無線制御コマンドを受信したら、ＰＪ制御部２７は、その無線制御コマンドを受信したことを知らせるコマンド受信通知として、操作検出コマンドを情報処理装置３に送信する（図４に示すステップＳ６）。
従って、ユーザーが室１０Ｂ内でリモコン４０に対し所定の操作を行うことにより、室１０内に配置されたプロジェクター２Ｂ、２Ｃから操作検出コマンドが情報処理装置３に送信される。この場合、リモコン４０の光信号Ｌ１は壁を通過せず、また、到達距離も制限されるので、他の室１０Ａ、１０Ｃに配置されたプロジェクター２には受信されない。従って、他の室１０Ａ、１０Ｃのプロジェクター２からは操作検出コマンドは送信されない。
【００５２】
図４に示すように、情報処理装置３のＰＣ制御部５３は、コマンド受信通知である操作検出コマンドを受信したら、表示部５５により表示されるプロジェクターリストＰＬの表示態様を変更する（ステップＳ７）。
図８（Ａ）は、プロジェクター２Ｂ、２Ｃから操作検出コマンドを受信する前のプロジェクターリストＰＬの表示を示した図である。図８（Ｂ）は、プロジェクター２Ｂ、２Ｃから操作検出コマンドを受信した後のプロジェクターリストＰＬの表示を示した図である。
【００５３】
図８（Ａ）及び図８（Ｂ）に示すように、ＰＣ制御部５３は、表示部５５が表示するプロジェクターリストＰＬの各情報のうち、操作検出コマンドを送信したプロジェクター２Ｂ、２Ｃに関する情報（ＩＰアドレス）の表示態様を変更する。この場合、ＰＣ制御部５３は、操作検出コマンドを送信したプロジェクター２のＩＰアドレスの表示態様を他のプロジェクター２のＩＰアドレスと区別可能な態様に変更する。
【００５４】
より具体的には、ＰＣ制御部５３は、操作検出コマンドを受信する毎に、操作検出コマンドを送信したプロジェクター２のＩＰアドレスに対し、最上位に移動させるソート処理と強調表示とを行う。このソート処理により、プロジェクター２Ｂ、２ＣのＩＰアドレス（「192.168.0.101」、「192.168.0.102」）が最上位から順に表示される。また、強調表示として、例えば、ＩＰアドレスの領域にハッチング等を付与して領域（図８に示す領域ＡＲ１、ＡＲ２）の識別力を向上させる表示処理、または、ＩＰアドレスの数字を周囲と異なる色や太字にして識別力を向上させる表示処理等が行われる。
【００５５】
このようにして、操作検出コマンドを送信したプロジェクター２のＩＰアドレスが他のプロジェクター２のＩＰアドレスよりも優先して視認される態様で表示される。これにより、ユーザーに対し、室１０Ｂに配置されるプロジェクター２Ｂ、２Ｃを容易に視認させることができる。ユーザーがプロジェクター２Ｂ、２ＣのＩＰアドレスに対応するチェックボックスをチェックして所定の決定操作を行うことにより、プロジェクター２Ｂ、２Ｃをグルーピングすることができる。
なお、操作検出コマンドを送信したプロジェクター２のＩＰアドレスを優先して視認される態様は上記態様に限定されず、公知の表示態様を広く適用可能である。
【００５６】
以上説明したように、本実施形態に係る表示システム１において、情報処理装置３（制御装置）は、表示部５１と、通信部５１（第１の通信部）と、ＰＣ制御部５３（第１の制御部）とを備える。ＰＣ制御部５３は、通信部５１によって通信するプロジェクター２（表示装置）に関する情報を、情報処理装置３の表示部５５に表示させる。また、プロジェクター２は、通信部２４（第２の通信部）と、リモコン４０の操作を受け付けるリモコン受光部２８（操作受付部）と、ＰＪ制御部２７（第２の制御部）とを備える。ＰＪ制御部２７は、リモコン受光部２８により所定の操作を受け付けた場合に、当該操作を検出したことを示す操作検出コマンド（操作検出情報）を通信部２４によって送信させる。そして、情報処理装置３のＰＣ制御部５３は、通信部５１により操作検出コマンドを受信した場合、表示部５５が表示する情報のうち、操作検出コマンドを送信したプロジェクター２に関するＩＰアドレス（識別情報）の表示態様を変更させる。
【００５７】
この表示システム１の構成、及び制御方法によれば、リモコン受光部２８により所定の操作を受け付けたプロジェクター２を容易に特定可能になる。換言すると、リモコン４０の操作を受け付ける範囲にあるプロジェクター２を容易に特定可能になる。従って、複数の室１０に分散配置したプロジェクター２を、室１０毎に容易に特定可能になる。
【００５８】
また、情報処理装置３のＰＣ制御部５３は、通信部２４により、プロジェクター２を探索するためのＰＩＮＧコマンド（探索情報）を送信する。ＰＪ制御部２７は、通信部２４によりＰＩＮＧコマンドを受信した場合に、ＰＩＮＧコマンドに対する応答である応答コマンド（応答情報）を通信部２４により送信する。ＰＣ制御部５３は、通信部５１により応答（応答コマンド）を受信し、応答を送信したプロジェクター２を示す情報であるＩＰアドレスを表示部５５により一覧表示させる。これにより、応答を送信したプロジェクター２のＩＰアドレスを一覧表示することができる。
【００５９】
また、プロジェクター２のＰＪ制御部２７は、通信部５１により操作検出コマンドを受信した場合、操作検出コマンドを送信したプロジェクター２を示すＩＰアドレスの表示態様を、他のプロジェクター２を示すＩＰアドレスと区別可能な態様に変更する。これにより、操作検出コマンドを送信したプロジェクター２のＩＰアドレスを容易に特定可能になる。
【００６０】
この場合、情報処理装置３のＰＣ制御部５３は、操作検出コマンドを受信した場合、表示部５５により操作検出コマンドを送信したプロジェクター２のＩＰアドレスを、他のプロジェクター２のＩＰアドレスより優先して視認される態様で表示させる。これにより、操作検出コマンドを送信したプロジェクター２のＩＰアドレスが優先して視認され、より容易に特定可能になる。
本実施形態では、ＰＣ制御部５３は、通信部５１により記操作検出コマンドを受信した場合、表示部５１によって一覧表示されるＩＰアドレスのうち、操作検出コマンドを送信したプロジェクター２のＩＰアドレスを上位に表示させる。このソート処理により、操作検出コマンドを送信したプロジェクター２のＩＰアドレスを優先して視認させることができる。
【００６１】
しかも、ＰＣ制御部５３は、通信部５１により操作検出コマンドを受信した場合、表示部５５によって一覧表示されるＩＰアドレスのうち、操作検出コマンドを送信したプロジェクター２のＩＰアドレスを強調して表示させる。この強調表示によっても、操作検出コマンドを送信したプロジェクター２のＩＰアドレスが優先して視認され、より容易に特定可能になる。
【００６２】
なお、図８には、操作検出コマンドを送信したプロジェクター２のＩＰアドレスを上位に表示させるソート処理と強調表示の両方を行う場合を例示したが、これに限らない。図９、図１０（Ａ）及び図１０（Ｂ）は、他の表示例を示した図である。図９は、操作検出コマンドを送信したプロジェクター２のＩＰアドレスの強調表示を行った場合を示す。強調表示だけでも、操作検出コマンドを送信したプロジェクター２のＩＰアドレスを表示位置によって容易に特定可能になる。
また、図１０（Ａ）はプロジェクター２Ｂ、２Ｃから操作検出コマンドを受信する前のプロジェクターリストＰＬの表示を示した図である。図１０（Ｂ）は、プロジェクター２Ｂ、２Ｃから操作検出コマンドを受信した後のプロジェクターリストＰＬの表示を示した図である。図１０（Ａ）及び図１０（Ｂ）に示すように、操作検出コマンドを受信した後、
操作検出コマンドを送信したプロジェクター２のＩＰアドレス以外の情報を削除した表示にする。この場合、操作検出コマンドを送信したプロジェクター２のＩＰアドレスだけが表示されるので、操作検出コマンドを送信したプロジェクター２のＩＰアドレスをより容易に特定可能になる。
【００６３】
また、プロジェクター２のＰＪ制御部２７（第２の制御部）は、リモコン受光部２８（操作受付部）で受け付ける操作に対応する処理を実行可能である。そして、ＰＪ制御部２７は、通信部２４（第２の通信部）によりＰＩＮＧコマンド（探索コマンド）を受信した場合、リモコン受光部２８で受け付ける操作に対応する処理の実行を制限する制限モードに移行する。ＰＪ制御部２７は、制限モードにおいてリモコン受光部２８で所定の操作を受け付けた場合に操作検出コマンドを通信部２４により送信する。
制限モードに移行するので、リモコン４０によるプロジェクター２の操作の一部または全てが無効となり、プロジェクター２をシングルプロジェクター等として使用できないようにすることができる。つまり、プロジェクター２をグルーピングにより実現される動作状態（本構成ではマルチプロジェクター）に適した状態にすることができる。
【００６４】
また、プロジェクター２（表示装置）は、投射部２０（表示部）と、情報処理装置３（制御装置）と通信を実行する通信部２４と、操作を受け付けるリモコン受光部２８（操作受付部）とを備える。さらに、プロジェクター２は、情報処理装置３が送信するＰＩＮＧコマンド（探索情報）を通信部２４によって受信した場合に、ＰＩＮＧコマンドに対する応答である応答コマンドを通信部２４により送信するＰＪ制御部２７を備える。このＰＪ制御部２７は、ＰＩＮＧコマンドを通信部２４によって受信した後、リモコン受光部２８により操作を受け付けた場合に、操作検出コマンドを通信部２４によって送信する。これにより、情報処理装置３側で、このプロジェクター２を容易に特定可能になる。
【００６５】
しかも、プロジェクター２のＰＪ制御部２７は、リモコン受光部２８で受け付ける操作に対応する処理を実行可能であり、探索コマンドを受信した場合、リモコン受光部２８で受け付ける操作に対応する処理の実行を制限する制限モードに移行する。そして、ＰＪ制御部２７は、制限モードにおいてリモコン受光部２８で所定の操作を受け付けた場合に操作検出コマンドを通信部２４により送信する。これにより、プロジェクター２の操作を制限しつつ、情報処理装置３側で、このプロジェクター２を容易に特定可能になる。
【００６６】
また、情報処理装置３は、表示部５５と、プロジェクター２と通信する通信部５１と、通信部５１によって通信するプロジェクター２に関する情報を、表示部５５に表示させるＰＣ制御部５３とを備える。ＰＣ制御部５３は、通信部５１により表示部５５に探索コマンドを送信する。そして、ＰＣ制御部５３は、探索コマンドを受信したプロジェクター２が送信する応答コマンドを受信した場合に、応答コマンドを送信したプロジェクター２を示す情報を表示部３３により一覧表示させる。さらに、ＰＣ制御部５３は、プロジェクター２が送信する操作検出コマンドを受信した場合、表示部５５が表示する情報のうち、操作検出コマンドを送信したプロジェクター２に関する情報の表示態様を変更させる。
本発明によれば、表示部５５が表示する情報のうち、操作検出コマンドを送信したプロジェクター２に関する情報の表示態様を変更させるので、操作検出コマンドを送信したプロジェクター２を容易に特定可能になる。
【００６７】
（第２実施形態）
第２実施形態は、通信ネットワーク１１に接続される複数のプロジェクター２のうちのプロジェクター２Ｂが、第１実施形態の情報処理装置３のグルーピングに関する処理を実行する点が第１実施形態と異なる。
図１１は、室１０Ｂのプロジェクター２Ｂ、２Ｃを周辺構成と共に示したブロック図である。プロジェクター２Ｂの記憶部２６には、グルーピングに関する処理を実行させるプログラムが記憶される。このプログラムを、プロジェクター２ＢのＰＪ制御部２７が実行することによって、プロジェクター２Ｂが、このプロジェクター２Ｂを含むプロジェクター２のグルーピングに関する処理を実行可能である。
以下、プロジェクター２Ｂの記憶部２６、ＰＪ制御部２７、通信部２４、投射部２０、及びリモコン受光部２８を他のプロジェクター２と区別するため、記憶部２６Ｂ、ＰＪ制御部２７Ｂ、通信部２４Ｂ、投射部２０Ｂ、及びリモコン受光部２８Ｂと表記する。
【００６８】
プロジェクター２ＢのＰＪ制御部２７Ｂは、リモコン受光部２８または操作部２９を介して所定の指示を入力すると、グルーピングモードに移行し、グルーピングに関する処理を開始する。この場合の処理の流れを図１２に示す。図１２において、第１実施形態と同様の部分は同一の符号を付して示す。以下、異なる箇所を詳述する。
ステップＳ１において、ＰＪ制御部２７Ｂは、プロジェクターリストＰＬの更新処理を開始する。この場合に実行される処理は図６に示すプロジェクター更新処理と同じである。但し、ＰＪ制御部２７Ｂは、プロジェクターリストＰＬに自身のＩＰアドレスも含めることにより、後述するステップＳ５の表示処理において、投射部２０Ｂにより、プロジェクター２Ａ〜２ＦのＩＰアドレスの一覧を表示できる。なお、プロジェクターリストＰＬは記憶部２６Ｂに記憶される。
【００６９】
ここで、情報処理装置３等のプロジェクター２以外の画像供給装置が、通信ネットワーク１１に接続されている場合、ＰＪ制御部２７Ｂが送信したＰＩＮＧコマンドに対し、画像供給装置（以下、情報処理装置３）が応答を返すことがある。この場合、ＰＪ制御部２７Ｂは、図６に示すフローに基づき情報処理装置３のＩＰアドレスもプロジェクターリストＰＬに登録される。このため、ステップＳ５では情報処理装置３のＩＰアドレス「192.168.0.200」も表示されることになる。
【００７０】
ユーザーが室１０Ｂでリモコン４０を用いて所定の操作を行った場合、この所定の操作に対応する無線制御コマンドが、リモコン受光部２８Ｂ及び２８を介して、室１０Ｂに配置されたプロジェクター２Ｂ、２Ｃに検出される。この場合、プロジェクター２Ｃは、図１２に示すステップ６の処理、つまり、操作検出コマンドを、ステップＳ３で応答を送信した送信先であるプロジェクター２Ｂ宛てに送信する。従って、プロジェクター２ＢのＰＪ制御部２７Ｂは、図１２に示すステップＳ７の処理において、プロジェクター２ＣのＩＰアドレスの表示態様を変更する。
さらに、無線制御コマンドを検出したプロジェクター２ＢのＰＪ制御部２７Ｂは、ステップＳ７の処理において、当該プロジェクター２ＢのＩＰアドレスの表示態様を変更する処理も行う。これにより、リモコン受光部２８Ｂ及び２８により所定の操作を受け付けたプロジェクター２Ｂ、２Ｃを容易に特定可能になる。
【００７１】
以上説明したように、第２実施形態に係る表示システム１において、プロジェクター２Ｂ（第１の表示装置）は、投射部２０Ｂ（表示部）と、通信部２４Ｂ（第１の通信部）と、ＰＪ制御部２７Ｂ（第１の制御部）とを備える。ＰＪ制御部２７Ｂは、通信部２４Ｂによって通信する他のプロジェクター２（第２の表示装置）に関する情報を、投射部２０Ｂに表示させる。また、他のプロジェクター２は、リモコン４０の操作を受け付けるリモコン受光部２８（操作受付部）と、ＰＪ制御部２７（第２の制御部）とを備える。ＰＪ制御部２７は、リモコン受光部２８により所定の操作を受け付けた場合に、当該操作を検出したことを示す操作検出コマンドを通信部２４によって送信させる。そして、プロジェクター２ＢのＰＪ制御部２７Ｂは、通信部２４Ｂにより操作検出コマンドを受信した場合、投射部２０Ｂが表示する情報のうち、操作検出コマンドを送信したプロジェクター２に関するＩＰアドレス（識別情報）の表示態様を変更させる。
【００７２】
この表示システム１の構成、及び制御方法によれば、第１実施形態と同様に、リモコン４０の操作を受け付ける範囲にあるプロジェクター２を容易に特定可能になる。従って、複数の室１０に分散配置したプロジェクター２を、室１０毎に容易に特定可能になる。
しかも、プロジェクター２ＢのＰＪ制御部２７Ｂは、このプロジェクター２Ｂのリモコン受光部２８Ｂにより所定の操作を受け付けた場合、投射部２０Ｂが表示する情報のうち、このプロジェクター２Ｂに関するＩＰアドレス（識別情報）の表示態様を変更させる。これにより、リモコン４０の操作を受け付ける範囲にあるプロジェクター２（プロジェクター２Ｂを含む）を容易に特定可能になる。
【００７３】
また、プロジェクター２Ｂ（表示装置）は、投射部２０（表示部）と、情報処理装置３（制御装置）と通信を実行する通信部２４と、操作を受け付けるリモコン受光部２８（操作受付部）とを備える。さらに、プロジェクター２は、情報処理装置３が送信するＰＩＮＧコマンドを通信部２４によって受信した場合に、ＰＩＮＧコマンドに対する応答である応答コマンドを通信部２４により送信するＰＪ制御部２７を備える。このＰＪ制御部２７は、ＰＩＮＧコマンドを通信部２４によって受信した後、リモコン受光部２８により操作を受け付けた場合に、当該操作を検出したことを示す操作検出コマンドを通信部２４によって送信する。これにより、情報処理装置３側で、リモコン４０の操作を受け付ける範囲にあるプロジェクター２を容易に特定可能になる。
【００７４】
上述した実施形態は、本発明の好適な実施形態を示すものであり、本発明を限定するものではなく、本発明の要旨を逸脱しない範囲内において種々の変形実施が可能である。例えば、上記実施形態では、リモコン４０の操作を受け付ける範囲にあるプロジェクター２を特定する場合について説明したが、リモコン４０の操作以外の操作を受け付ける範囲にあるプロジェクター２を特定可能にしてもよい。この場合、例えば、ユーザーがグルーピングしようとするプロジェクター２が配置された室１０内で、その室１０に配置されたプロジェクター２の操作パネル（操作部２９）に所定の操作を行う。この所定の操作を受け付けたプロジェクター２が、操作検出コマンドを送信するようにすればよい。
【００７５】
また、上記実施形態において、図３、図１１等に示す表示システム１の構成は機能的構成を示すものであり、具体的な実装形態は特に制限されない。また、上記実施形態においてハードウェアで実現される機能の一部または全てをソフトウェアで実現してもよい。その他、表示システム１の他の細部構成についても、本発明の趣旨を逸脱しない範囲で任意に変更可能である。
【００７６】
また、上記実施形態では、複数のプロジェクター２を有する表示システム１に本発明を適用する場合を説明したが、これに限らない。例えば、プロジェクター２の数は一台でもよい。また、プロジェクター以外の表示装置を有する表示システムに本発明を適用してもよい。例えば、プロジェクター以外の表示装置としては、液晶表示装置を挙げることができる。
【符号の説明】
【００７７】
１…表示システム、２、２Ａ〜２Ｆ…プロジェクター（表示装置、プロジェクター２Ｂ（第１の表示装置）、２Ｂ以外のプロジェクター（第２の表示装置））、３…情報処理装置（制御装置）、１１…通信ネットワーク、２０…投射部（表示部）、２１…光源、２２…光変調装置、２３…投射光学系、２４…通信部（第２の通信部）、２５…画像入力部、２６…記憶部、２７…ＰＪ制御部（第２の制御部）、２８…リモコン受光部（操作受付部）、２９…操作部、３０…画像処理部、３１…光変調装置駆動部、３２…光源駆動部、３５、５６…バス、４０…リモコン、４０Ａ…操作子、５１…通信部（第１の通信部）、５２…記憶部、５３…ＰＣ制御部（第１の制御部）、５４…操作入力部、１００〜１０２…投射画像、１１１…重畳領域、Ｌ１…光信号、ＰＬ…プロジェクターリスト。
【図１】
0006772466.tif 000002
【図２】
0006772466.tif 000003
【図３】
0006772466.tif 000004
【図４】
0006772466.tif 000005
【図５】
0006772466.tif 000006
【図６】
0006772466.tif 000007
【図７】
0006772466.tif 000008
【図８】
0006772466.tif 000009
【図９】
0006772466.tif 000010
【図１０】
0006772466.tif 000011
【図１１】
0006772466.tif 000012
【図１２】
0006772466.tif 000013